(57)【特許請求の範囲】
【請求項１】
鉄筋などの金属棒を概略９０度折り曲げて製作した、圧入部とＲ折曲げ部と露出部とからなるＬ字形アンカーを、コンクリートや岩壁などの躯体に穿孔され、予め接着剤が充填されている下孔に圧入するために用いるアンカー圧入工具であって、
打撃力を発生させる電動工具に装着可能な打撃棒と、
Ｌ字形アンカーの露出部を把持する把持部と前記打撃棒を装着するための打撃棒装着孔とを有する圧入工具本体と、を備え、
前記把持部が前記露出部を把持し前記打撃棒を前記打撃棒装着孔に装着した状態で、前記打撃棒が前記把持部よりも前記圧入部の近くに位置し、
前記把持部が前記露出部を把持した状態で、前記圧入部の圧入方向において前記打撃棒の後方端部が電動工具に装着可能とされ、かつ、前記打撃棒装着孔が、前記打撃棒を、前記圧入方向において前記圧入部の後方で前記圧入方向に伸びるように位置決めすることにより、前記電動工具から受ける打撃力が前記打撃棒を経由して前記Ｌ字型アンカーを圧入方向へ圧入せしめるように前記Ｌ字型アンカーに伝播する、
ことを特徴とするアンカー圧入工具。
【請求項２】
前記打撃棒は、前記打撃棒が前記電動工具から受ける打撃力のみを前記Ｌ字型アンカーに伝播するように前記打撃棒装着孔に移動可能に係止する請求項１記載のアンカー圧入工具。
【請求項３】
前記把持部が、前記露出部を把持した状態で、前記圧入方向において、前記圧入部の後端よりも後方に位置することにより、前記Ｌ字アンカーを前記圧入部の先端位置から前記圧入部に前記Ｒ折曲げ部が接続される位置までの任意の深さに圧入可能である請求項１又は２に記載のアンカー圧入工具。
【発明の詳細な説明】
【技術分野】
【０００１】  主として鉄筋などの金属棒を概略９０度折り曲げて製作した、圧入部・Ｒ折曲げ部・露出部からなるＬ字形アンカーを、コンクリートや岩壁などの躯体に穿孔され、予め接着剤が充填されている下孔に圧入するために用いるアンカー圧入工具に関する。
【背景技術】
【０００２】  道路や鉄道などのトンネル内面のコンクリート面や道路わきの岩壁などの躯体の表面に、新たなコンクリートを塗布して壁面を補強する工事では、塗布されたコンクリートが既設の躯体の表面にしっかり一体固着することが重要である。そのため、単に表面にコンクリートを塗布するだけでなく、塗布前にＬ字形アンカーを既設躯体に圧入固定してからコンクリートを塗布する補強方法がある。【０００３】  使用されるＬ字形アンカーは、直径１２〜３２ｍｍ程度の鉄筋などの棒鋼を概略９０度折り曲げて製作される。アンカーが圧入される、コンクリートや岩壁など、既設の躯体に予め穿孔された下孔は、アンカー棒鋼の直径より６〜１２ｍｍ程度大き目のドリルで穿孔され、アンカー圧入前に充填機器でレジンなどの接着剤を充填したり、接着剤が入ったカプセルを挿入したりして、圧入されたアンカーが接着剤で躯体と強固に結合される方法が一般的に採用されている。【０００４】  図１にＬ字形アンカー１を示す。圧入部２とＲ折曲げ部４、及び露出部３から成っていて、圧入部２の長さは２００〜４００ｍｍ程度、Ｒ折曲げ部４の曲率半径は棒鋼の直径の２〜４倍程度、Ｒ折曲げ部４に続く露出部３は圧入部２より５０〜１５０ｍｍ程度短く、圧入部２と露出部３が成す角は９０度が一般的である。実際のＬ字形アンカー１は図１６で示されるように、表面に凹凸があり、接着剤の接着力が効果的に作用して躯体７と一体固定されやすいよう工夫されていることが多い。これを図２に示すように、コンクリートや岩盤などの躯体７に予め穿孔された下孔８に圧入する。【０００５】  下孔８の直径はＬ字形アンカー１の棒鋼の直径よりも大きいので、Ｌ字形アンカー１を下孔８に挿入するには、作業者がＬ字形アンカーを手で持ちながら押し込めば済みそうに思われるが、予め充填された接着剤の抵抗や、時には挿入時に下孔の内面が欠けて発生した小さな欠片などのため、手で押し込むことが困難な場合が多い。その場合、ハンマーを使って露出部３やＲ折曲げ部４を打撃するのだが、Ｌ字形アンカー１の形状からも分かるように、Ｒ折り曲げ部４を圧入方向に打撃したり、露出部３を圧入方向に打撃したりしても、打撃力が圧入方向に効果的に作用しづらく、Ｌ字形アンカー１が丸棒から造られているためにハンマーが棒鋼の上で滑って上手く打撃できないなどの問題もあって、熟練しないと圧入の作業効率は上がらない。【０００６】  既設の躯体７の下孔８にＬ字形アンカー１を圧入し終えたら、図３に示すように躯体７の表面に補強コンクリート９を塗布する。塗布厚は５０〜３００ｍｍ程度である。このようにしてＬ字形アンカー１を躯体７に打ち込んでから補強コンクリート９を塗布すると、Ｌ字形アンカー１がない場合と比べて補強コンクリート９が躯体から剥離する危険は大幅に減少する。
【発明の概要】
【発明が解決しようとする課題】
【０００７】  以上で述べたように、Ｌ字形アンカーをコンクリートや岩盤などの既設の躯体に穿孔されている下孔に圧入してから補強コンクリートを塗布すれば補強効果を上げることができる。しかし、Ｌ字形アンカーを圧入する作業は、高所など作業環境が悪い場所が多い。また、作業者がハンマーなどで丸棒から造られたＬ字形アンカーの露出部やＲ折曲げ部を打撃する必要があるため、圧入方向に効果的に打撃しづらい上に、熟練していないと丸棒の上でハンマーが滑り易く、高所で思うような作業姿勢がとれないままハンマーの打撃作業を行う必要がある、などの理由から作業効率が悪く、安全作業の観点からも問題は多い。
【課題を解決するための手段】
【０００８】上記の課題を解決するための本願発明は、Ｌ字形アンカーの露出部を把持する把持部と、前記把持部より圧入部に近い位置に打撃棒を持つアンカー圧入工具である。この工具を使用してＬ字形アンカーを圧入するには、打撃棒を電動工具などの打撃振動工具に装着し、打撃振動工具の打撃力を活用する。
【発明の効果】
【０００９】  本願発明に係るアンカー圧入工具を電動工具などの打撃振動工具に装着して用いると、打撃位置がＬ字形アンカーの圧入部に近いために打撃振動工具の打撃力が有効に作用して、従来の手作業での圧入と比べて格段に短い時間で圧入することができる。従って作業効率が大幅に改善する上に、技能を必要としないため非熟練作業者でも作業をすることが可能である。更には、高所の壁などに圧入する場合、無理な姿勢で長時間作業する必要が無いために安全性も高まる。
【図面の簡単な説明】
【００１０】
【図１】Ｌ字形アンカーの正面図
【図２】Ｌ字形アンカーを既設の躯体の下孔に圧入した状態を示す図
【図３】Ｌ字形アンカーが圧入された躯体表面に補強コンクリートを塗布した状態を説明する図
【図４】本願発明のアンカー圧入工具の第一の実施例の正面図
【図５】図４の第一の実施例に類似の第二の実施例における圧入工具本体の正面図
【図６】図５の圧入工具本体と組み合わせて用いられる打撃棒の正面図
【図７】図４に示される本願発明のアンカー圧入工具をＬ字形アンカーに装着した状態を示す図。
【図８】図７に示されるＬ字形アンカー装着後のアンカー圧入工具を電動工具に装着した状態を示す図。
【図９】電動工具を使いＬ字形アンカーを既設の躯体に圧入し終えた状態を示す図
【図１０】Ｌ字形アンカーが既設の躯体に完全に圧入された状態を示す図
【図１１】本願発明のアンカー圧入工具の第三の実施例の正面図
【図１２】図１１のアンカー圧入工具の上面図
【図１３】図１１のアンカー圧入工具にＬ字型アンカーを装着した状態を説明する図
【図１４】本願発明のアンカー圧入工具の第四の実施例の正面図
【図１５】図１４のアンカー圧入工具の上面図
【図１６】Ｌ字形アンカーの棒鋼表面の状態を説明する図
【発明を実施するための形態】
【００１１】  本願発明に係るアンカー圧入工具は、アンカー把持部を有する圧入工具本体と、把持部よりも圧入側に近い位置に設けられた打撃棒で構成される。このアンカー圧入工具を使用して圧入作業をする時は、Ｌ字形アンカーに圧入工具本体を装着し、圧入工具に付属している打撃棒を電動工具などの打撃振動工具に装着してから、Ｌ字形アンカーの圧入側先端を既設の躯体に穿孔された下孔に挿入して打撃振動工具を作動し、打撃振動工具の打撃力でＬ字形アンカーの圧入部を躯体の下孔に圧入する。
【００１２】  下孔の直径はＬ字形アンカーの棒鋼の直径より６〜１２ｍｍ程度大きく、かつ打撃棒の位置がＬ字形アンカーの圧入部の中心軸に近いため、予め下孔に充填されている接着剤の粘性抵抗があっても、打撃振動工具の打撃力が効果的に作用し、短時間でＬ字形アンカーを下孔に圧入することが可能である。
【実施例】
【００１３】  本願発明に係るアンカー圧入工具の実施例を、図を用いて説明する。
図４に第一の実施例の正面図を示す。アンカー圧入工具１０は、圧入工具本体１１と打撃棒１２で構成される。圧入工具本体１１にはＬ字形アンカー１の露出部３を把持するアンカー把持孔１３を持つ把持部１９が設けられている。一方、打撃棒１２は、把持部１９よりもアンカー圧入側に、ネジ込みなどの方法で固定される。【００１４】  このアンカー圧入工具１０で図１や図１６で示されるＬ字形アンカー１を、既設のコンクリートや岩盤から成る躯体に予め穿孔され接着剤が充填されている下孔８に圧入する時は、まず、Ｌ字形アンカー１の露出部３の露出側先端６をアンカー把持孔１３に挿入し、アンカーのＲ折曲げ部４が圧入工具本体１１の把持部１９に当接するまで押し込んで図７に示される状態にする。【００１５】  次に、打撃棒１２を電動工具１４の装着部２０に装着し、図８の状態にしてから、作業者は電動工具を片方の手、例えば右手、でしっかり把持し、別の手、例えば左手、でアンカー圧入工具１０及びＬ字形アンカー１を支持して、アンカーの圧入側先端５を既設の躯体７に穿孔されている下孔８に軽く押し込み、圧入側先端５が数ｃｍ以上挿入された状態になったところで電動工具１４を打撃運転作動しながら圧入方向に電動工具１４で押してやる。【００１６】  すると、電動工具１４で発生する打撃力は打撃棒１２を経由してＬ字形アンカー１に伝播してゆくが、打撃棒１２の位置が圧入工具本体１１の把持部１９よりＬ字形アンカー１の圧入部２に近いため、電電動工具１４の打撃力が直線的に圧入部２に作用し、小さな打撃力で効率よく短時間で圧入することが出来る。【００１７】  圧入が進み、図９に示す、Ｌ字形アンカー１が十分圧入された状態になったところで、アンカー圧入工具１０を電動工具１４と一緒にアンカーの露出部３から引き抜くと、図１０に示すように、躯体７の表面にＬ字形アンカー１のＲ折曲げ部４と露出部３だけが露出した状態になり、圧入作業が完了する。その後は、図３に示すように補強コンクリートを躯体に塗布し、これが乾燥して固まるのを待てばよい。【００１８】  図４に示したアンカー圧入工具１０では、圧入工具本体１１に打撃棒１２をネジなどで一体固定しているが、これを分離した部品とし、圧入時に組み合わせて使用する方法もある。この、第二の実施例の場合、図６に示すガイド軸１８をもつ打撃棒１２と、図５に示す打撃棒装着孔１７を持つ圧入工具本体１１を組み合わせて使用する。ガイド軸１８の直径は打撃棒装着孔１７の直径より約１ｍｍ小さく、簡単に着脱できる。【００１９】  第二の実施例の圧入工具を使う時は、予め電動工具１４の装着部２０に図６の打撃棒１２を装着固定しておく。次に、図５の圧入工具本体１１をＬ字形アンカー１の露出部３に挿入し、これを電動工具１４に予め装着しておいた打撃棒１２と組み合わせる。その後は、打撃棒１２と圧入工具本体１１が組み合わされた状態を確保しながら、打撃棒１２と圧入工具本体１１がネジなどで一体化した、図４に示された第一の実施例の圧入工具と同じように操作してＬ字形アンカーを躯体に圧入する。【００２０】  この時、打撃棒と圧入工具本体は、作業中いつも簡単に分離する状態になっているが、圧入作業では、作業者はいつも電動工具でＬ字形���ンカーを圧入する方向に加圧しているため、打撃棒と圧入工具本体が作業中の分離することはない。
圧入が完了したら、電動工具１４を引くと、打撃棒１２も電動工具１４と一緒に圧入工具からはずれて、Ｌ字形アンカーの露出部３には打撃棒が付いていない図５の圧入工具本体１１のみが残ることになる。これを露出部から引き抜けば圧入作業は完了となる。【００２１】  以上の方法の圧入工具では、Ｌ字形アンカー１の露出部３に圧入工具１１を装着しても、装着と逆方向に重力などの力が作用すると直ぐに圧入工具が露出部から離脱してしまうので、作業中に離脱しないよう注意している必要がある。この離脱問題を解消する案として図１１の正面図に示すように、圧入工具本体１１にＲ部抑え爪１５を設けた第三の実施例のアンカー圧入工具１０を使っても好い。この工具の上面図は図１２に示す。【００２２】  この圧入工具１０にＬ字形アンカー１を装着した状態を図１３に示す。図からもわかるように、Ｌ字形アンカー１を装着した状態では、Ｒ折曲げ部４がＲ部抑え爪１５によって動きを規制されるため、Ｌ字形アンカー１がアンカー圧入工具１０から外れにくい。Ｌ字形アンカーをこの圧入工具に装着する時は図１３の状態よりもアンカー１またはアンカー圧入工具１０をアンカー１の露出部３の軸周りに９０度だけ回転した状態にし、露出部３を把持部１９に装着してから、９０度もどしてやればよい。【００２３】  以上の本願発明によるアンカー打込工具ではアンカー把持孔１３にＬ字形アンカー１の露出部３を挿入してから圧入作業を行い、作業が完了したらアンカー打込工具を露出部３の軸にそって引き抜く方式だが、アンカー圧入工具の装着と離脱を簡単に行える案として、図１４の正面図、図１５の上面図で示す第四の実施例のようにアンカー装着Ｕ字溝１６を加工したものも適用可能である。この場合、圧入工具１０はＬ字形アンカー１のＲ折曲げ部４に横方向から装着することができて、装着作業は簡単になるが、圧入作業の振動などで外れやすいため、作業には注意が必要である。
【符号の説明】
【００２４】  １  Ｌ字形アンカー
２  圧入部
３  露出部
４  Ｒ折曲げ部
５  圧入側先端
６  露出側先端
７  躯体
８  下孔
９  補強コンクリート
１０  アンカー圧入工具
１１  圧入工具本体
１２  打撃棒
１３  アンカー把持孔
１４  電動工具
１５  Ｒ部抑え爪
１６  アンカー装着Ｕ字溝
１７  打撃棒装着孔
１８  ガイド軸
１９  把持部
２０  装着部
【図１】
0006501393.tif 000002
【図２】
0006501393.tif 000003
【図３】
0006501393.tif 000004
【図４】
0006501393.tif 000005
【図５】
0006501393.tif 000006
【図６】
0006501393.tif 000007
【図７】
0006501393.tif 000008
【図８】
0006501393.tif 000009
【図９】
0006501393.tif 000010
【図１０】
0006501393.tif 000011
【図１１】
0006501393.tif 000012
【図１２】
0006501393.tif 000013
【図１３】
0006501393.tif 000014
【図１４】
0006501393.tif 000015
【図１５】
0006501393.tif 000016
【図１６】
0006501393.tif 000017